(57)【特許請求の範囲】
【請求項１】
室内の壁面に取り付けられる画像表示部と、室外に設置され、この画像表示部に作動用電力を供給する電源部とからなり、画像表示部と電源部とを電力供給用のハーネスで接続し、さらに、電源部側に設けたコネクタと電力供給用のハーネス側に設けたコネクタとを着脱自在に接続するテレビ装置において、電源部が正常に作動している状態で、電源部にハーネスが接続している場合に消灯し、ハーネス側のコネクタが電源部側のコネクタから外された場合に点灯する発光部を電源部に設けたことを特徴とするテレビ装置。
【請求項２】
上記ハーネス側のコネクタの端子の内の２つの端子を相互に短絡させ、ハーネス側のコネクタを電源部側のコネクタから外すと、この短絡させた２個の端子に接続されていた電源部側のコネクタの端子間がオープン状態になることにより、電源部側でハーネスが外されたことを検知して、上記発光部を点灯させるようにしたことを特徴とする請求項１に記載のテレビ装置。
【発明の詳細な説明】
【技術分野】
【０００１】
本発明は、画像表示部と電源部とが別体に形成され、ハーネスを介して両者が接続されるテレビ装置に関する。
【背景技術】
【０００２】
上述のようなテレビ装置として、例えば画像表示部を防水構造として浴室の壁面に取り付け、電源部を浴室の天井裏に設置するものが知られている（例えば、特許文献１参照）。浴室用のテレビ装置では大画面化が進んでおり、液晶表示部の面積が大きくなると、バックライトからの発熱量が増加する。また、浴室用のテレビ装置では液晶表示画面とテレビ鑑賞者との距離が比較的近いため、画像表示部の厚みを可及的に薄くすることが望まれる。
【０００３】
以上の要請から、特に浴室用のテレビ装置では、大画面のものでは画像表示部と電源部とが別体に形成されている。
【先行技術文献】
【特許文献】
【０００４】
【特許文献１】特開２００５−３２３０９９号公報（図１）
【発明の概要】
【発明が解決しようとする課題】
【０００５】
上述のようなテレビ装置を浴室などに設置する際には、テレビ装置が正常に作動して画像表示部にテレビ画像が表示され、かつテレビ音声が発音されることが確認される。ところが、設置が完了し使用開始した後に液晶表示部が作動しなくなる故障が生じた場合、従来では液晶表示部と電源部との双方を新たなものに交換していた。
【０００６】
ところが、液晶表示部と電源部との双方が同時に故障することはほとんどなく、いずれか一方が故障している場合がほとんどである。その場合には故障している方のユニットのみを交換すればよいが、いずれのユニットが故障しているのかをテレビ装置が設置されている現場で特定しなければならない。
【０００７】
この特定のためには何らかの測定器を用いることが考えられるが、現場の作業者に測定器を使用させ、故障の有無を作業者に判断させることは、現場作業者に負担を与えるため採用することができない。
【０００８】
また、故障診断回路を液晶表示部側に設けて浴室内からの操作で故障の有無を判断する構成では、電源部が故障していた場合、故障診断回路を作動させる電力が供給されないため、採用することができない。
【０００９】
あるいは、電源部に故障診断のためのスイッチ類を追加しても、天井裏という作業しづらい環境でこれら追加したスイッチ類を操作して故障診断作業を作業者にさせることも、実際には困難である。
【００１０】
そこで本発明は、上記の問題点に鑑み、簡単な操作で画像表示部と電源部とのいずれが故障しているかを判断することのできるテレビ装置を提供することを課題とする。
【課題を解決するための手段】
【００１１】
上記課題を解決するために本発明によるテレビ装置は、室内の壁面に取り付けられる画像表示部と、室外に設置され、この画像表示部に作動用電力を供給する電源部とからなり、画像表示部と電源部とを電力供給用のハーネスで接続し、さらに、電源部側に設けたコネクタと電力供給用のハーネス側に設けたコネクタとを着脱自在に接続するテレビ装置において、電源部が正常に作動している状態で、電源部にハーネスが接続している場合に消灯し、ハーネス側のコネクタが電源部側のコネクタから外された場合に点灯する発光部を電源部に設けたことを特徴とする。
【００１２】
ハーネスを電源部から外す作業のみで電源部が正常に機能しているか否かを知ることができ、電源部が正常に機能している状態で画像表示部が作動していない場合には画像表示部が故障しているものと判断する。なお、発光部を常時消灯させ、ハーネスを外した場合に点灯させることにより、発光部を点灯させるための消費電力を低減することができる。
【００１３】
上記構成の具体例としては、例えば、上記ハーネス側のコネクタの端子の内の２つの端子を相互に短絡させ、ハーネス側のコネクタを電源部側のコネクタから外すと、この短絡させた２個の端子に接続されていた電源部側のコネクタの端子間がオープン状態になることにより、電源部側でハーネスが外されたことを検知して、上記発光部を点灯させるように構成すればよい。
【発明の効果】
【００１４】
以上の説明から明らかなように、本発明は、電源部からハーネスを外すだけで電源部と画像表示部とのいずれに故障が生じているかを判断することができるので、設置後にテレビ装置に故障が生じた場合に、別途測定器等を用いることなく、故障したユニットを特定することができ、故障したユニットのみを交換することよって交換作業の工数及び交換費用を低減することができる。
【図面の簡単な説明】
【００１５】
【図１】本発明の一実施の形態の構成を示す図
【図２】コネクタを示す図
【図３】電源部内のＬＥＤ点灯回路図
【発明を実施するための形態】
【００１６】
図１を参照して、１は本発明によるテレビ装置の構成ユニットの１つである画像表示部である。２は他のユニットである電源部で有り、画像表示部１とこの電源部２とでテレビ装置が構成される。画像表示部１は浴室ＢＲの壁面に固定されている。一方、電源部２は浴室の天井ＲＦの上面（天井裏）に設置されている。Ｗは天井ＲＦに形成された点検口で有り、通常は蓋によって閉鎖されているが、電源部２を点検する際に容易に開放することができる。
【００１７】
電源部２と画像表示部１とはアンテナ線２１及び電源供給用のハーネス３とで連結されている。
【００１８】
図２を参照して、電源部２にはコネクタ２２が設けられており、ハーネス３の端部に取り付けたコネクタ３１とコネクタ２２とが着脱自在に連結されるように構成されている。また、ハーネス３側のコネクタ３１の複数の端子の内、画像表示部１への電力供給に用いない２個の端子をジャンパ線３２で短絡させた。なお、電源部２内には電源基板４が設けられ、その電源基板４に実装されたＬＥＤ２３が、発光部分が電源部２の外壁面に露出するように取り付けられている。
【００１９】
図３を参照して、本図は電源基板４内に組み込まれた回路の一部であって、ＬＥＤ２３を点灯するためのものである。この回路には図示しない電源回路から１６ボルトの電力４０が供給されている。両コネクタ２２，３１が接続されていると２個の抵抗４３，４４はジャンパ線３２によって直列に接続され、両抵抗４３，４４間の分圧がＩＣ４２に印加される。すると、上記ＬＥＤ２３に直列に接続されているトランジスタ４１のベースがロー側に落ち、トランジスタ４１はオフの状態に保持される。その結果、ＬＥＤ２３は点灯しない。すなわち、両コネクタ２２，３１が接続されることによってハーネス３が電源部２に接続されている状態では、電源部２に故障が生じていなくてもＬＥＤ２３は消灯している。
【００２０】
次に、両コネクタ２２，３１を切り離すと、抵抗４３，４４が直列に接続されない状態になるので、ＩＣ４２に印加されていた分圧が０になる。すると、トランジスタ４１のベース電圧が上昇してトランジスタ４１がオンになる。その結果、ＬＥＤ２３が点灯する。すなわち、電源部２が故障していない状態でハーネス３を電源部２から外すと、ＬＥＤ２３が点灯することになる。
【００２１】
上記画像表示部１が映らなくなる故障、すなわち、液晶表示画面のバックライトが点灯せず、かつ、画像表示部１に設けている各種のＬＥＤが点灯しない故障が生じた場合、画像表示部１と電源部２との双方を交換するのではなく、いずれか故障している方のユニットのみを交換するため、いずれのユニットに故障が生じているのかを知る必要がある。
【００２２】
そこで、このような故障が生じた場合に、点検口Ｗを開けて、１対のコネクタ２２，３１を外すことによって、ＬＥＤ２３が点灯すれば、電源部２は正常であると判断して画像表示部１が故障しているものと断定する。また、両コネクタ２２，３１を外してもＬＥＤ２３が点灯せず消灯したままであれば、電源部２が故障したものと断定する。
【００２３】
なお、本発明は上記した形態に限定されるものではなく、本発明の要旨を逸脱しない範囲内において種々の変更を加えてもかまわない。
【符号の説明】
【００２４】
１  画像表示部
２  電源部
３  ハーネス
４  電源基板
２２  コネクタ
２３  ＬＥＤ
３１  コネクタ
３２  ジャンパ線
ＲＦ  天井
Ｗ  点検口
【図１】
0006347467.tif 000002
【図２】
0006347467.tif 000003
【図３】
0006347467.tif 000004